Podtech/llm-jp-corpus-v4-ja_patent huggingface dataset:
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
（ａ）ソルビトールアセタール化合物若しくはキシリトールアセタール化合物及び
（ｂ）シリカ成分
を含む添加剤組成物であって、ここで、
（i）前記シリカ成分は、約０．６μｍより小さいＭｖ値及び約１μｍより小さいＤ９０値を有するか、または
（ii）前記組成物は、ソルビトールアセタール化合物を含み、前記シリカ成分は、シリカフラクションを含み、また、前記シリカフラクションは、１μｍより小さい粒径を有する少なくとも１重量％の粒子を含むか、または
（i i i）前記組成物は、ソルビトールアセタール化合物を含み、また、前記シリカ成分は、約２０μｍより小さいＭｖ値及び約５０μｍより小さいＤ９０値を有し、また、添加剤組成物中のシリカの重量割合が、約１０％以上であるか、または
（iｖ）前記シリカ成分は、実質的に疎水性シリカである、
組成物。
【請求項２】
前記シリカ成分は、約０．４μｍより小さいＭｖ値及び約０．６μｍより小さいＤ９０値を有する、請求項１記載の組成物。
【請求項３】
前記シリカ成分は、約０．６μｍより小さいＭｖ値及び約１μｍより小さいＤ９０値を有し、また、添加剤組成物中のシリカの重量割合が、約１〜約５％である、請求項１記載の組成物。
【請求項４】
前記組成物は、ソルビトールアセタール化合物を含み、前記シリカ成分は、シリカフラクションを含み、前記シリカフラクションは、１μｍより小さい粒径を有する少なくとも１重量％の粒子を含み、また、前記シリカ成分は、約０．５μｍより小さいＤ１０値を有する、請求項１記載の組成物。
【請求項５】
前記組成物は、ソルビトールアセタール化合物を含み、前記シリカ成分は、シリカフラクションを含み、前記シリカフラクションは、１μｍより小さい粒径を有する少なくとも１重量％の粒子を含み、また、添加剤組成物中のシリカの重量割合が、約０．５〜約１０％である、請求項１記載の組成物。
【請求項６】
前記組成物は、ソルビトールアセタール化合物を含み、添加剤組成物中のシリカの重量割合が、約１０％以上であり、また、前記シリカ成分は、約１０μｍより小さいＭｖ値及び約２５μｍより小さいＤ９０値を有する、請求項１記載の組成物。
【請求項７】
前記組成物は、ソルビトールアセタール化合物を含み、また、前記シリカ成分は、約２０μｍより小さいＭｖ値及び約５０μｍより小さいＤ９０値を有し、また、添加剤組成物中のシリカの重量割合が、約１０〜約３０％である、請求項１記載の組成物。
【請求項８】
前記シリカ成分は、実質的に疎水性である、請求項１から７記載の組成物。
【請求項９】
組成物は、ソルビトールアセタール化合物を含み、前記シリカ成分は、実質的に疎水性のシリカであり、また、添加剤組成物中の疎水性シリカの重量割合が、約１〜約５％である、請求項１記載の組成物。
【請求項１０】
組成物は、ソルビトールアセタール化合物を含み、前記シリカ成分は、実質的に疎水性のシリカであり、また、前記シリカは、約２０μｍより小さいＭｖ値及び約５０μｍより小さいＤ９０値を有する、請求項１記載の組成物。
【請求項１１】
前記組成物は、キシリトールアセタール化合物を含み、前記シリカ成分は、実質的に疎水性のシリカであり、また、添加剤組成物中の疎水性シリカの重量割合が、約０．５〜約１０％である、請求項１記載の組成物。
【請求項１２】
（ａ）ソルビトールアセタール化合物、及び
（ｂ）約２０μｍより小さいＭｖ値及び約５０μｍより小さいＤ９０値を有し、ここで、添加剤組成物中の実質的に疎水性のシリカ成分の重量割合が、約１〜約１０％である
実質的に疎水性のシリカ成分
から実質的に成る、有機潤滑剤を実質的に含まない成核添加剤組成物。
【請求項１３】
（ａ）ポリオレフィン、及び
（ｂ）請求項１記載の組成物
を含むポリオレフィン系組成物。
【請求項１４】
ポリマー若しくはコポリマーを準備する工程；
（i）ソルビトールアセタール化合物とシリカ成分を含み、前記シリカ成分は、約０．６μｍより小さいＭｖ値及び約１μｍより小さいＤ９０値を有する、添加剤組成物
（ii）ソルビトールアセタール化合物を含み、前記シリカ成分は、約２０μｍより小さいＭｖ値及び約５０μｍより小さいＤ９０値を有し、また、添加剤組成物中のシリカの重量割合が、約１０％以上である添加剤組成物
（i i i）ソルビトールアセタール化合物と疎水性シリカを有する添加剤組成物
（iｖ）キシリトールアセタール化合物と疎水性シリカを有する添加剤組成物
から成る群より選ばれる添加剤組成物を準備する工程；及び
前記ポリマー若しくはコポリマー中に前記添加剤組成物を送り込み、分散する工程、；
を含む有核ポリマー若しくはコポリマー組成物の製造方法。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
ポリ（１，４−シクロヘキサンジメタノールテレフタレート）組成物を含む発光ダイオードアセンブリハウジングであって、前記組成物が、
（ｅ）約４０〜約９５重量％のポリ（１，４−シクロヘキサンジメタノールテレフタレート）と、
（ｆ）約５〜約６０重量％の二酸化チタンと、
（ｇ）０〜約４０重量％の少なくとも１種の無機強化剤または無機充填剤と、
（ｈ）０〜約３重量％の少なくとも１種の酸化安定剤と
を含み、重量％が前記組成物の全重量を基準にしていることを特徴とする発光ダイオードアセンブリハウジング。
【請求項２】
請求項１に記載のハウジングを含むことを特徴とする発光ダイオードアセンブリ。
【手続補正２】
【補正対象書類名】明細書
【補正対象項目名】００４６
【補正方法】変更
【補正の内容】
【００４６】
エポキシレンズを含む発光ダイオードアセンブリハウジングに実施例１〜５および比較例１の組成物を成形する。実施例１〜５の組成物から製造されたハウジングは、ハウジングを回路基板に溶接するときに表面膨れに対する良好な抵抗を有し、エポキシレンズへの良好な粘着力を有する。更に、実施例１〜５の組成物から製造されたハウジングは、比較例１の組成物から製造されたハウジングより、熱にさらされても大幅に改善された色安定性を有する。
本発明は以下の実施の態様を含むものである。
１．ポリ（１，４−シクロヘキサンジメタノールテレフタレート）組成物を含む発光ダイオードアセンブリハウジングであって、前記組成物が、
（ｅ）約４０〜約９５重量％のポリ（１，４−シクロヘキサンジメタノールテレフタレート）と、
（ｆ）約５〜約６０重量％の二酸化チタンと、
（ｇ）０〜約４０重量％の少なくとも１種の無機強化剤または無機充填剤と、
（ｈ）０〜約３重量％の少なくとも１種の酸化安定剤と
を含み、重量％が前記組成物の全重量を基準にしていることを特徴とする発光ダイオードアセンブリハウジング。
２．前記ポリ（１，４−シクロヘキサンジメタノールテレフタレート）が前記組成物の全重量を基準にして約５０〜約８５重量％で存在することを特徴とする前記１に記載のハウジング。
３．前記二酸化チタンが前記組成物の全重量を基準にして約１５〜約５０重量％で存在することを特徴とする前記１に記載のハウジング。
４．前記二酸化チタンが前記組成物の全重量を基準にして約２０〜約４０重量％で存在することを特徴とする前記１に記載のハウジング。
５．前記二酸化チタンが無機被膜と有機被膜を有することを特徴とする前記１に記載のハウジング。
６．前記無機被膜が金属酸化物であることを特徴とする前記５に記載のハウジング。
７．前記有機被膜がカルボン酸、ポリオール、アルカノールアミンおよび／またはケイ素化合物の１つまたは複数であることを特徴とする前記５に記載のハウジング。
８．前記カルボン酸がアジピン酸、テレフタル酸、ラウリン酸、ミリスチン酸、パルミチン酸、ステアリン酸、ポリヒドロキシステアリン酸、オレイン酸、サリチル酸、リンゴ酸およびマレイン酸の１つまたは複数であることを特徴とする前記７に記載のハウジング。
９．前記ケイ素化合物がシリケート；オルガノアルコキシシラン、アミノシラン、エポキシシラン、メルカプトシランおよびポリヒドロキシシロキサンを含む有機シランおよび有機シロキサンの１つまたは複数であることを特徴とする前記７に記載のハウジング。
１０．前記シランがヘキシルトリメトキシシラン、オクチルトリエトキシシラン、ノニルトリエトキシシラン、デシルトリエトキシシラン、ドデシルトリエトキシシラン、トリデシルトリエトキシシラン、テトラデシルトリエトキシシラン、ペンタデシルトリエトキシシラン、ヘキサデシルトリエトキシシラン、ヘプタデシルトリエトキシシラン、オクタデシルトリエトキシシラン、Ｎ−（２−アミノエチル）３−アミノプロピルメチルジメトキシシラン、Ｎ−（２−アミノエチル）３−アミノプロピルトリメトキシシラン、３−アミノプロピルトリエトキシシラン、３−グリシドキシプロピルトリメトキシシラン、３−グリシドキシプロピルメチルジメトキシシランおよび３−メルカプトプロピルトリメトキシシランから選択される１つまたは複数のシランであることを特徴とする前記９に記載のハウジング。
１１．前記ポリ（１，４−シクロヘキサンジメタノールテレフタレート）において、ジオール反復単位の少なくとも９０モル％が１，４−シクロヘキサンジメタノールから誘導され、前記ジカルボン酸反復単位の少なくとも９０モル％がテレフタル酸から誘導されることを特徴とする前記１に記載のハウジング。
１２．前記無機充填剤および／または無機強化剤がガラス繊維、ウォラストナイト、炭酸カルシウム、タルク、マイカおよびカオリンから選択される１つまたは複数であることを特徴とする前記１に記載のハウジング。
１３．前記無機充填剤が前記組成物の全重量を基準にして約５〜約４０重量％で存在することを特徴とする前記１に記載のハウジング。
１４．前記酸化安定剤がホスフィット安定剤、ハイポホスフィット安定剤、ヒンダードフェノール安定剤、ヒンダードアミン安定剤、チオエステルおよび芳香族アミン安定剤から選択される１つまたは複数であることを特徴とする前記１に記載のハウジング。
１５．前記酸化安定剤が前記組成物の全重量を基準にして約０．１〜約３重量％で存在することを特徴とする前記１に記載のハウジング。
１６．前記ポリ（１，４−シクロヘキサンジメタノールテレフタレート）組成物が前記組成物の全重量を基準にして約０．１〜約３重量％の紫外線安定剤を更に含むことを特徴とする前記１に記載のハウジング。
１７．前記１に記載のハウジングを含むことを特徴とする発光ダイオードアセンブリ。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
外被、絶縁材または半導電層のうちの１つまたはそれ以上を含み、前記外被、絶縁材または半導電層が、加水分解性反応性シラン基を有する少なくとも１つの樹脂およびスズ触媒を含み、前記スズ触媒が、ビス（アルコキシド）配位子を有し、＋４酸化状態を有するスズにより特徴付けられる、電線またはケーブル。
【請求項２】
前記樹脂が、（ｉ）エチレンと加水分解性シランとのコポリマー、（ｉｉ）エチレンと、１つまたはそれ以上のＣ３またはそれ以上のα−オレフィンまたは不飽和エステルと、加水分解性シランとのコポリマー、（ｉｉｉ）その骨格にグラフトされた加水分解性シランを有するエチレンのホモポリマー、および（ｉｖ）エチレンと１つまたはそれ以上のＣ３またはそれ以上のα−オレフィンまたは不飽和エステルとのコポリマーであって、その骨格にグラフトされた加水分解性シランを有するコポリマー、のうちの少なくとも１つである、請求項１に記載の電線またはケーブル。
【請求項３】
前記樹脂が、（ｉ）プロピレンと加水分解性シランとのコポリマー、（ｉｉ）プロピレン、１つまたはそれ以上のＣ３またはそれ以上のα−オレフィンまたは不飽和エステルと、加水分解性シランとのコポリマー、（ｉｉｉ）その骨格に加水分解性シランを有するプロピレンのホモポリマー、および（ｉｖ）プロピレンと１つまたはそれ以上のＣ３またはそれ以上のα−オレフィンまたは不飽和エステルとのコポリマーであって、その骨格にグラフトされた加水分解性シランを有するコポリマー、のうちの少なくとも１つである、請求項１に記載の電線またはケーブル。
【請求項４】
外被を含み、前記外被が、（ｉ）加水分解性反応性シラン基を有する少なくとも１つの樹脂と水との反応生成物、および（ｉｉ）少なくとも１つのスズ触媒を含み、前記スズ触媒が、ビス（アルコキシド）配位子を有し、＋４酸化状態を有するスズにより特徴付けられる、電線またはケーブル。
【請求項５】
湿気硬化性組成物の被覆剤を電線またはケーブルに塗布する段階；およびその湿気硬化性組成物と水とを反応させる段階を含むプロセスであって、前記湿気硬化性組成物が、加水分解性反応性シラン基を有する少なくとも１つの樹脂と、＋４酸化状態およびビス（アルコキシド）配位子を有するスズにより特徴付けられるスズ触媒とを含む、被覆電線またはケーブルを作製するためのプロセス。
【請求項６】
外被を含み、前記外被が、（ｉ）ヒドロキシル基を有する少なくとも１つの樹脂と、２つまたはそれ以上のイソシアネート基を有する少なくとも１つの化合物の反応生成物、および（ｉｉ）少なくとも１つのスズ触媒を含み、前記スズ触媒が、ビス（アルコキシド）配位子を有し、＋４酸化状態を有するスズにより特徴付けられる、電線またはケーブル。
【請求項７】
外被を含み、前記外被が、（ｉ）イソシアネート基を有する少なくとも１つの樹脂と、２つまたはそれ以上のヒドロキシル基を有する少なくとも１つの化合物の反応生成物、および（ｉｉ）少なくとも１つのスズ触媒を含み、前記スズ触媒が、ビス（アルコキシド）配位子を有し、＋４酸化状態を有するスズにより特徴付けられる、電線またはケーブル。
【請求項８】
外被を含み、前記外被が、（ｉ）酸基を有する少なくとも１つの樹脂と、２つまたはそれ以上のアミン基を有する少なくとも１つの化合物の反応生成物、および（ｉｉ）少なくとも１つのスズ触媒を含み、前記スズ触媒が、ビス（アルコキシド）配位子を有し、＋４酸化状態を有するスズにより特徴付けられる、電線またはケーブル。
【請求項９】
外被を含み、前記外被が、（ｉ）アミン基を有する少なくとも１つの樹脂と、２つまたはそれ以上の酸基を有する少なくとも１つの化合物の反応生成物、および（ｉｉ）少なくとも１つのスズ触媒を含み、前記スズ触媒が、ビス（アルコキシド）配位子を有し、＋４酸化状態を有するスズにより特徴付けられる、電線またはケーブル。
【請求項１０】
加水分解性反応性シラン基を有する少なくとも１つの樹脂およびスズ触媒を含む組成物を反応させる段階を含むプロセスであって、前記スズ触媒が、ビス（アルコキシド）配位子を有し、＋４酸性状態を有するスズにより特徴付けられる、製品を作製するためのプロセス。
【誤訳訂正書】
【提出日】平成21年2月9日(2009.2.9)
【誤訳訂正１】
【訂正対象書類名】特許請求の範囲
【訂正対象項目名】全文
【訂正方法】変更
【訂正の内容】
【特許請求の範囲】
【請求項１】
生物学的流体の医学的に重要な成分の濃度を測定するために適した誤用されたセンサーを検出する方法であって、
（ａ）交流成分を含む信号をセンサーに印加する工程、
（ｂ）信号に対する交流応答を測定する工程、および
（ｃ）交流応答を用いてセンサーが誤用されているかどうかを決定する工程
を含む誤用されたセンサーを検出する方法。
【請求項２】
（ｉ）生物学的流体の試料をセンサーの上に載せる工程、
（ii）第１信号を生物学的流体に印加する工程、
（iii）第１信号に対する電流応答を測定する工程、
（iv）少なくとも１回、工程（iii）を反復する工程、
（ｖ）電流応答データを用いて規格化されたコットレル・フェイルセーフ率を計算する工程を含み、
前記工程（ｃ）が、工程（ａ）より前に、規格化されたコットレル・フェイルセーフ率と前記工程（ｂ）の交流応答とを組み合わせることを含み、センサーが誤用されたかどうかを表示する請求項１記載の方法。
【請求項３】
工程（ａ）、（ｂ）および（ｃ）が生物学的流体をセンサーに適用する前に実行される請求項１記載の方法。
【請求項４】
第１信号が交流信号である請求項２または３記載の方法。
【請求項５】
交流成分を含む信号の交流成分が１キロヘルツ以上で２０キロヘルツ以下の周波数を持つ請求項１〜４のいずれか１項に記載の方法。
【請求項６】
交流成分を含む信号が異なる周波数を有してなる請求項５記載の方法。
【請求項７】
前記工程（ｖ）が、ＦＡＩＬＳＡＦＥをつぎの式によって算出する工程を含んでおり、
ＩＬＳＡＦＥ＝１０００×ａｒｃｔａｎ［ＮＣＦＲ／（ｆｓ0＋ｆｓ1（Ф1−Ф2））］
ここに、
１０００がスケーリング係数であり、
ＮＣＦＲが規格化されたコットレル・フェイルセーフ率であり、
ｆｓ0が定数であり、
ｆｓ1が定数であり、
Ф1が第１周波数での位相角（ラジアン）であり、
Ф2が第２周波数での位相角（ラジアン）であり、
ゼロ未満のＦＡＩＬＳＡＦＥの値は誤用されたセンサーを示し、ゼロより上のＦＡＩＬＳＡＦＥの値は誤用されていないセンサーを示す
ことを特徴とする請求項２〜６のいずれか１項に記載の方法。
【請求項８】
血液グルコース濃度試験において誤用されたセンサーを示す不良状態を決定する方法であって、
（ａ）交流成分を含む第１試験信号を試験試料に適用する工程、
（ｂ）第１試験信号に対する第１位相角応答を測定する工程、
（ｃ）交流成分を含む第２試験信号を試験試料に適用する工程、
（ｄ）第２試験信号に対する第２位相角応答を測定する工程、および
（ｅ）第１位相角応答、第２位相角応答、および所定のコットレル・フェイルセーフ率に基づいて不良状態値を決定する工程
を含む不良状態を決定する方法。
【請求項９】
工程（ｅ）が、
ａｒｃｔａｎ［ＣＦＲ／（ｆｓ0＋ｆｓ1（ФA−ФB））］
ここで、
ＣＦＲ＝コットレル・フェイルセーフ率
ｆｓ0＝定数
ｆｓ1＝定数
ФA＝第１位相角（ラジアン）応答
ФB＝第２位相角（ラジアン）応答
を少なくとも部分的に評価することに基づいて行われる請求項８記載の方法。
【請求項１０】
（ｆ）試験信号を試験試料に適用する工程、
（ｇ）少なくとも二つの電流応答を測定する工程、および
（ｈ）電流応答と最終的電流応答との合計に基づいて所定のコットレル・フェイルセーフ率を決定する工程をさらに含む請求項８または９記載の方法。
【誤訳訂正２】
【訂正対象書類名】明細書
【訂正対象項目名】００１０
【訂正方法】変更
【訂正の内容】
【００１０】
本発明のもう一つの実施形態では、ａ）生物学的流体試料をセンサー上に載せ、ｂ）生物学的流体に第１信号を適用し、ｃ）第１信号に対する電流応答を測定し、ｄ）工程ｃ）を少なくとも１回繰り返し、ｅ）電流応答データを用いて規格化されたコットレル・フェイルセーフ率を計算し、ｆ）交流の成分を持った第２信号を生物学的流体に適用し、ｇ）第２信号に対する交流応答を測定し、そして規格化されたコットレル・フェイルセーフ率と交流応答とを組合わせてセンサーが誤用されたかどうかの指示を作り出す工程からなる、センサー上に載せられた生物学的流体の医学的に有用な構成要素の濃度を測定するための誤用されたセンサーを検知する方法が開示される。
【誤訳訂正３】
【訂正対象書類名】明細書
【訂正対象項目名】００１２
【訂正方法】変更
【訂正の内容】
【００１２】
本発明のまた別の実施形態では、ａ）交流成分を持った第１試験信号を試験試料に適用し、ｂ）第１試験信号に対する第１位相角応答を測定し、ｃ）交流成分を持った第２試験信号を試験試料に適用し、ｄ）第２試験信号に対する第２位相角応答を測定し、そしてｅ）第１位相角応答、第２位相角応答および既定のコットレル・フェイルセーフ率に基づいて不良状態値を決定する工程からなる血液グルコースの濃度試験での誤用センサーを示す不良状態を決定する方法が開示される。
【誤訳訂正４】
【訂正対象書類名】明細書
【訂正対象項目名】０１４２
【訂正方法】変更
【訂正の内容】
【０１４２】
この式のパラメータの全ては、グルコース濃度と時間以外は、通常センサーに対する定数である。それゆえ、我々は規格化されたコットレルフェイルセーフ率（ＮＣＦＲ）を、次のように定義する。
【誤訳訂正５】
【訂正対象書類名】明細書
【訂正対象項目名】０１５０
【訂正方法】変更
【訂正の内容】
【０１５０】
【数１９】
2007524817.tif 000001
ここで、ｗ1、ｗ2＝重量測定定数（たとえば、コードキーからの）
ＮＣＦＲ1，ＮＣＦＲ2＝直流ブロック１と２それぞれのための規格化されたコットレルフェイルセーフ率
【誤訳訂正６】
【訂正対象書類名】明細書
【訂正対象項目名】０１５４
【訂正方法】変更
【訂正の内容】
【０１５４】
それゆえ、誤用センサーが使用されているかどうかを示すＦＡＩＬＳＡＦＥ計算を生成するための、測定位相角（ラジアン）データを分析する式を設計することが可能になる。好ましい実施形態では、寄生的抵抗などによって起こされたエラーに対して一層健全な試験を行うために二つの別の周波数で測定した位相角（ラジアン）間の差異を用いることが選択された。逆正接関数を適用して二つの母集団を異なった漸近線へ動かすようにすると、次のＦＡＩＬＳＡＦＥ式を生成する。
【誤訳訂正７】
【訂正対象書類名】明細書
【訂正対象項目名】０１５５
【訂正方法】変更
【訂正の内容】
【０１５５】
【数２１】
2007524817.tif 000002
ここで１０００＝スケーリング因子
ＮＣＦＲ＝コットレル・フェイルセーフ率
ｆｓ0＝直線回帰インターセプト
ｆｓ1＝直線回帰スロープ
Φ10kHz＝１０ｋＨｚでの位相角（ラジアン）
Φ20kHz＝２０ｋＨｚでの位相角（ラジアン）
【誤訳訂正８】
【訂正対象書類名】明細書
【訂正対象項目名】０１５６
【訂正方法】変更
【訂正の内容】
【０１５６】
式２１を用いて、ゼロを超えるＦＡＩＬＳＡＦＥ値は非誤用のセンサーを示すのに対し、ゼロ未満のＦＡＩＬＳＡＦＥ値は誤用されたセンサーを示すように、インターセプト項Ｆｓ0を選択することが出来る。当業者は、異なったインターセプトを選ぶことによって反対の結果を得ることが出来ることを認めるであろう。
【誤訳訂正書】
【提出日】平成21年10月13日(2009.10.13)
【誤訳訂正１】
【訂正対象書類名】特許請求の範囲
【訂正対象項目名】全文
【訂正方法】変更
【訂正の内容】
【特許請求の範囲】
【請求項１】
縦軸および対向する両側部を有するベース基板であって、該ベース基板上に配置される試薬層を有するベース基板と、
前記ベース基板上に位置するカバー層であって、該カバー層が、同一平面に配置される室(chamber)カバーとボディ(body)カバーを備え、該室カバーとボディカバーとが離間されることによって、該室カバーとボディカバーとの間にスロットを画定し、当該スロットが、前記縦軸に対して垂直に延び、前記ベース基板の一方の側部から他方の側部にわたって横断するカバー層と、
前記ベース基板とカバー層のあいだに配置されるサンプル受け取り室(chamber)と
を備えるテストストリップであって、
該サンプル受け取り室が当該テストストリップの一端から内部に延びる経路を備え、
前記室カバーが、前記サンプル受け取り室の上に位置し、
前記スロットが、該サンプル受け取り室と連通し、かつ前記サンプル受け取り室に流体が入ると空気を逃すベント開口を、前記カバー層に画定している
ことを特徴とするテストストリップ。
【請求項２】
前記カバー層と前記ベース基板とのあいだに、さらにスペーサとしてのスペース層が狭持され、該スペース層の一方の面が前記ベース基板に接着され、該スペース層の対向する面がカバー層に接着されており、該スペース層が、該ベース基板と前記カバー層のあいだの前記サンプル受け取り室の高さおよび周囲の長さを画定する空隙部を構成することを特徴とする請求項１記載のテストストリップ。
【請求項３】
さらに前記サンプル受け取り室に配置されている電極を備え、該電極が試薬層によってカバーされてなることを特徴とする請求項１または２記載のテストストリップ。
【請求項４】
さらに前記サンプル受け取り室内に配置された作用電極および対極を含み、前記スロットが、該作用電極および対極の下流に位置決めされることを特徴とする請求項１、２または３記載のテストストリップ。
【請求項５】
当該テストストリップの計量器の挿入端において前記ベース基板上に形成されているコンタクトパッドと、
該ベース基板に沿って延びており、かつ前記電極を該コンタクトパッドに接続している電極トレースをさらに備え、
前記カバー層が、該電極トレースをカバーし、かつ該コンタクトパッドを暴露することを特徴とする請求項３または４記載のテストストリップ。
【請求項６】
前記室カバーが、透明あるいは半透明であり、これにより前記サンプル受け取り室の中でのサンプル流体の充填ラインまでの進行が視認されることを特徴とする請求項１〜５のいずれか１項に記載のテストストリップ。
【請求項７】
前記室カバーが、当該室カバーの裏面上に親水性表面を備え、これにより前記サンプル受け取り室の中から前記スロットまでの移動が促進されることを特徴とする請求項１〜６のいずれか１項に記載のテストストリップ。
【請求項８】
前記ボディカバーが、疎水性接着剤によって前記テストストリップに接着されていることを特徴とする請求項１〜７のいずれか１項に記載のテストストリップ。
【請求項９】
複数のテストストリップを製造する方法であって、該方法が、
ベース基板材料のウェブを提供すること、
該ウェブ上に複数の電極セットを形成すること、
各電極セットの少なくとも１つの電極をカバーする試薬層を提供すること、
そこに形成されている一連のキャビティを有するスペース材料の連続ウェブを提供すること、
各キャビティが、それぞれ１つの電極セットと配列するように、ベース基板材料の該ウェブ上にスペース材料のウェブを積層すること、
２つの連続したカバーウェブを備えるカバー層を提供すること、
該２つのカバーウェブがギャップにより隔てられ、該ギャップが一連のキャビティの内部端上に位置決めされるように、カバーウェブをスペース材料上に積層すること、および
該ウェブを複数のテストストリップにカットし、該カットが電極セットのあいだに一連の実質的に等距離のカットを行うことからなり、該カットが、該ギャップに対して実質的に垂直であり、これにより形成される個々のテストストリップが、そのカバー層を横切って延びるギャップを有し、個々のギャップが、各キャビティに連通するベント開口を形成することを特徴とする方法。
【請求項１０】
前記試薬層が、前記ベース基板材料のウェブに沿って、連続ストライプとして均一な厚さで適用されることを特徴とする請求項９記載の方法。
【誤訳訂正２】
【訂正対象書類名】明細書
【訂正対象項目名】０００７
【訂正方法】変更
【訂正の内容】
【０００７】
その１つの形式において、本発明は、ベース基板上にカバー層を含むテストストリップを提供する。該ベース基板は、該ベース基板上に配置された、流体サンプルと反応し、かつ測定される検体の濃度に相関できる測定可能な応答を生じる試薬層を、もっている。カバー層は、室(chamber)カバーおよびボディ(body)カバーを含み、該室カバーおよびボディカバーのあいだにスロットをもっている。該スロットは、該試薬層上に置かれている。サンプル受け取り室(chamber)は、該ベース基板および該カバー層のあいだに配置され、またスロットは、該サンプル受け取り室と連通している。該スロットは、流体が、入ってくるにしたがい、空気を逃すことができるベント開口を、カバー層中に定めている。
【誤訳訂正書】
【提出日】平成20年12月9日(2008.12.9)
【誤訳訂正１】
【訂正対象書類名】明細書
【訂正対象項目名】００２５
【訂正方法】変更
【訂正の内容】
【００２５】
１μｇ／ｍｌの濃度で溶媒中に処方した式Ｉ、ＩＩまたはＩＩＩの好ましい化合物は、本明細書に記載されたＴＲＡＰアッセイで測定した時、前記溶媒で処理されたケラチノサイトまたは線維芽細胞中のテロメラーゼ活性レベルをＴＲＡＰアッセイにおいて測定した時よりも、前記細胞における少なくとも５０％超で、テロメラーゼ活性レベルを生じる上で有効である。さらに好ましい実施形態において、該化合物は、本明細書に記載されたＴＲＡＰアッセイで測定した時、前記溶媒で処理されたケラチノサイトまたは線維芽細胞中のテロメラーゼ活性レベルをＴＲＡＰアッセイにおいて測定した時よりも、前記細胞における少なくとも１００％超で、テロメラーゼ活性レベルを生じるのに有効である。
【誤訳訂正２】
【訂正対象書類名】明細書
【訂正対象項目名】００４３
【訂正方法】変更
【訂正の内容】
【００４３】
関連した一態様において、本発明は、上記に定義された式Ｉ、式ＩＩまたは式ＩＩＩの単離化合物の局所用製薬処方物を提供する。また、該化合物の選択された実施形態は上記に定義されている。好ましい実施形態において、該化合物は、式Ｉまたは式ＩＩの化合物である。さらなる実施形態において、該化合物は、アストラガロシドＩＶ、シクロアストラゲノール、アストラゲノール、アストラガロシドＩＶ  １６−オン、シクロアストラゲノール６−β−Ｄ−グルコピラノシド、シクロアストラゲノール３−β−Ｄ−キシロピラノシド、および２０Ｒ，２４Ｓ−エポキシ−３β，１６β，２５−トリヒドロキシ−９β−メチル−１９−ノルラノスタ−１，５−ジエン（本明細書において、５と指定）から選択される。局所処方物は、乳化剤、増粘剤および皮膚軟化剤からなる群より選択される１種以上の成分を、典型的に含んでなる。このような組成物は、表皮の創傷または他の急性もしくは慢性状態の治療に使用できる。
【誤訳訂正３】
【訂正対象書類名】明細書
【訂正対象項目名】００４４
【訂正方法】変更
【訂正の内容】
【００４４】
他の関連した一態様において、本発明は、上記に定義された式Ｉ、式ＩＩまたは式ＩＩＩの単離化合物の栄養剤処方物を含んでなる栄養剤組成物を提供する。また、該化合物の選択された実施形態は上記に定義されている。好ましい実施形態において、該化合物は、上記の選択された実施形態を含めて、式Ｉまたは式ＩＩの化合物である。さらなる実施形態において、該化合物は、アストラガロシドＩＶ、シクロアストラゲノール、アストラゲノール、アストラガロシドＩＶ  １６−オン、シクロアストラゲノール６−β−Ｄ−グルコピラノシド、シクロアストラゲノール３−β−Ｄ−キシロピラノシド、および２０Ｒ，２４Ｓ−エポキシ−３β，１６β，２５−トリヒドロキシ−９β−メチル−１９−ノルラノスト−１，５−ジエン（本明細書において、５と指定）から選択される。さらなる実施形態において、該栄養処方物は、式Ｉ、ＩＩまたはＩＩＩの単離化合物に加えて、Ａｓｔｒａｇａｌｕｓ  ｍｅｍｂｒａｎａｃｅｕｓの抽出エキスであり得る栄養草本抽出エキスを含んでなる。
【誤訳訂正４】
【訂正対象書類名】明細書
【訂正対象項目名】０１２０
【訂正方法】変更
【訂正の内容】
【０１２０】
また、本発明は、本明細書に記載されたＴＲＡＰアッセイにおいて、式Ｉ、ＩＩおよびＩＩＩの化合物の誘導体をスクリーニングすることによりテロメラーゼ活性を増大させる上で効果的な追加化合物を選択する方法を提供する。この態様において、「誘導体」は、以下の方法の１つ以上において、式Ｉ、ＩＩおよびＩＩＩの化合物の修飾により作製される化合物を含む：低級アルキルカルバメート基、ハロゲン基、チオール基、低級アルキルチオエーテル基、アミノ基、低級アルキルアミノ基、低級アルキルアミド基、アルデヒド基、またはヒドロキシル基のケト基への変換；そのようなアルデヒド基もしくはケト基への、または既存のケト基への低級アルキル基の付加（例えば、さらなるヒドロキシル基を形成するアルキル化）；炭素−炭素二重結合への、ハロゲン、ヒドロキシル、および／または水素の付加；ヒドロキシル基の除去（すなわち、水素への転換）；１つ以上のキラル中心、好ましくは、酸素担持キラル中心における立体化学の反転。本明細書中で用いられる場合、そのような修飾により作製される「誘導体」は、上記の式Ｉ、ＩＩおよびＩＩＩの化合物自体を除外する。
【誤訳訂正５】
【訂正対象書類名】明細書
【訂正対象項目名】０１５１
【訂正方法】変更
【訂正の内容】
【０１５１】
哺乳動物またはヒト患者などの対象または患者の治療に関して、用量は、対象の体重および全身の健康状態、治療を受ける状態、症状の重症度などの因子に基づいて決定される。用量および濃度は、所望の利益を生み出すと同時に、望ましくない副作用を避けるように決定される。対象化合物に典型的な用量は、ヒト患者に対して、約０．５ｍｇ／日から、５００ｍｇ／日の範囲、好ましくは、約１ｍｇ／日から１００ｍｇ／日の範囲である。例えば、高用量療法としては、例えば、５０〜１００ｍｇ／日、７５〜１００ｍｇ／日または５０〜７５ｍｇ／日が挙げられ、低用量療法としては、例えば、１〜５０ｍｇ／日、２５〜５０ｍｇ／日または１〜２５ｍｇ／日が挙げられる。特定の実施形態において、例えば、本明細書において２と指定される化合物（シクロアストラゲノール）が、少なくとも１ｍｇ／日、好ましくは少なくとも５ｍｇ／日のレベルで投与されるか、または本明細書において１と指定される化合物（アストラガシドＩＶ）が、少なくとも５０ｍｇ／日、好ましくは、少なくとも１００ｍｇ／日のレベルで投与される。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
重合体コア成分及び架橋重合体シェル成分を含むコア−シェルコンポジットを製造する方法であって、該方法が下記工程：
第１の液体中で重合体コア成分及びシェル重合体を含む第１の相を製造すること、ここで該シェル重合体は該第１の液体中に実質的に溶解すること、
第２の液体中で架橋剤を含む第２の相を製造すること、ここで該第２の液体は該第１の液体と実質的に非混和性であること、
該第１の相及び該第２の相を組み合わせて不均質な多相媒体を形成すること、
該不均質な多相媒体から該第１の液体の少なくとも一部分を除去すること、及び、
該コア成分の表面上で該架橋剤により該シェル重合体を架橋することによって該多相媒体中で該コア−シェルコンポジットを形成すること、
を含む方法。
【請求項２】
請求項１に記載のコア−シェルコンポジットを製造する方法であって、該方法が下記工程：
水溶液である第１の水相に前記コア成分を水和させること、ここで該コア成分は親水性コア重合体を含むこと、
該水溶液に前記シェル重合体を溶解すること、ここで該シェル重合体は親水性シェル重合体であること；および
該シェル重合体を該水和したコア成分の表面と相互作用させることにより水和したコア−シェル中間体を形成すること、
をさらに含む方法。
【請求項３】
請求項２に記載のコア−シェルコンポジットを製造する方法であって、該方法が下記工程：
同時に（ｉ）前記コア−シェルコンポジットが形成されるように、前記水和したコア−シェル中間体を架橋条件下で前記架橋剤に接触させること、及び（ｉｉ）該水溶液から水を除去すること、
をさらに含む方法。
【請求項４】
前記第１の液体が水溶液であり、そして前記除去する工程が脱水する工程である、請求項１に記載の方法。
【請求項５】
重合体コア成分及び架橋重合体シェル成分を含むコア−シェルコンポジットを製造する方法であって、該方法が下記工程：
第１の水相に該コア成分を水和させること、ここで該コア成分は親水性重合体を含むこと、
該第１の水相にシェル重合体を溶解すること、
該第１の水相を第２の相と混合することにより不均質な多相媒体を形成すること、ここで該第２の相は架橋剤を含み、該第１の水相と実質的に非混和性であること、
該不均質な多相媒体を脱水すること、及び、
該コア成分の表面上で該架橋剤により該シェル重合体を架橋することによって該コア−シェルコンポジットを形成すること、
を含む方法。
【請求項６】
前記不均質な多相媒体が、前記水和したコア−シェル中間体を、前記第１の水相の大部分から、架橋剤を含む第２の液相を使用して相単離することにより調製され、該第２の液相が、該第１の水相と実質的に非混和性である、請求項５に記載の方法。
【請求項７】
前記第１の液相のｐＨを制御することを更に含む請求項１〜６の何れかに記載の方法。
【請求項８】
前記コア成分がカチオン交換重合体を含み、そして前記シェル重合体がアミン部分を含む実質的に正荷電の架橋アミン重合体を含む請求項１〜７の何れか１項に記載の方法。
【請求項９】
前記シェル重合体の前記アミン部分の少なくとも２％が第４級アンモニウムである請求項８記載の方法。
【請求項１０】
前記アミン部分が、アルキル、式−（ＣＨ２）ｍ−ＨＥＴ−（Ｒｘ）ｔを有する（ａｌｋ）複素環部分又は式−（ＣＨ２）ｍ−Ａｒ−（Ｒｘ）ｔを有する（ａｌｋ）アリール部分で置換されており、ここでｍは０〜１０であり、ｔは０〜５であり、ＨＥＴは複素環部分であり、Ａｒはアリール部分であり、そしてＲｘはヒドロカルビル又は置換ヒドロカルビルである請求項８または９の何れか１項に記載の方法。
【請求項１１】
前記コア−シェル粒子が１μｍ〜５００μｍの大きさ及び５．５より高値のｐＨにおいて少なくとも１．５ｍｍｏｌ／ｇのカリウムに対する結合能力を有する請求項８〜１０の何れか１項に記載の方法。
【請求項１２】
前記架橋アミン重合体がアルキレンイミン反復単位を含む請求項８〜１１の何れか１項に記載の方法。
【請求項１３】
前記架橋アミン重合体がエチレンイミン反復単位を含み、そして前記アルキレンイミン反復単位がアルキル、（ａｌｋ）複素環部分又は（ａｌｋ）アリール部分で置換されている請求項１２記載の方法。
【請求項１４】
前記架橋アミン重合体が下記式Ｉ：
【化１】
2009510233.tif 000001
［式中、ｎは少なくとも４であり、
Ｒ１及びＲ２は独立して水素、置換又は未置換のアルキル、置換又は未置換のフェニル、置換又は未置換のアリールあるいは置換又は未置換の複素環であり、そして
Ａは重合体骨格のＮ原子とＣ原子との間の共有結合、置換又は未置換のアルキル、置換又は未置換のアリール、置換又は未置換の複素環、アルキル基が置換又は未置換であるカルボキシアルキル、アルキル基が置換又は未置換であるカルボキサミドアルキル、あるいはアルキル基が置換又は未置換であるアミノアルキルである］で表されるか、又はその共重合体であるビニル反復単位を含む請求項８記載の方法。
【請求項１５】
Ｒ１及びＲ２が式−（ＣＨ２）ｍ−Ａｒ−（Ｒｘ）ｔを有する請求項１４記載の方法。
【請求項１６】
ＲｘがＣ１−Ｃ１８アルキル又はＣ１−Ｃ１８アルキレンである請求項１４又は１５記載の方法。
【請求項１７】
Ｒ１及びＲ２が下記式：
【化２】
2009510233.tif 000002
［式中、
ｍは０〜１０であり；
Ｒｘは直鎖又は分枝鎖のＣ１−Ｃ１８アルキル、Ｃ１−Ｃ１８アルケニル、Ｃ１−Ｃ１８アルキニル又はＣ１−Ｃ２０アリールであり；
ｔは０〜５である］を有する請求項１４記載の方法。
【請求項１８】
ｍが１〜３であり、ｔが１である請求項９〜１２および１４〜１６の何れか１項に記載の方法。
【請求項１９】
請求項１〜１８の何れか１項に記載の方法に従ってコア−シェル粒子を製造することを含む医薬の製造のための方法。
【請求項２０】
前記医薬が高カリウム血症の治療的な処置のためのものである請求項１９記載の方法。
【請求項２１】
製薬上許容しうる賦形剤および請求項１〜１８の何れか１項に記載の方法に従って製造されたコア−シェル粒子を含む医薬組成物。
【請求項２２】
高カリウム血症の治療的な処置のための請求項２１記載の医薬組成物。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
透明プラスチック材料８０〜９９．９ｗｔ．％および平均粒度が実質的に１〜１００μｍであるポリマー粒子０．０１〜２０ｗｔ．％を含有するプラスチック組成物であって、原子間力顕微鏡法によって表面を調査することによって決定される平均粒度８０〜２００ｎｍの粒子含量が該プラスチック組成物の表面積１００μｍ２あたり２０個未満、好ましくは１００μｍ２あたり１０個未満、特に好ましくは１００μｍ２あたり５個未満であることを特徴とするプラスチック組成物。
【請求項２】
該透明プラスチック材料がポリカーボネートであることを特徴とする、請求項１に記載のプラスチック組成物。
【請求項３】
請求項１または２に記載のプラスチック組成物を含有するソリッドシート。
【請求項４】
フラットスクリーンにおける拡散シートとしての請求項３に記載のソリッドシートの使用。
【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
主要量の熱可塑性フッ素樹脂を有するフルオロポリマー、気泡抑制金属化合物、塩基及び相間移動触媒を含むフルオロポリマーブレンド。
【請求項２】
請求項１に記載のフルオロポリマーブレンド及び溶媒を含有するスラリーを含む組成物。
【請求項３】
（ａ）実質的な無機物質を含む基材と、
（ｂ）請求項１に記載のフルオロポリマーブレンドを含む第１の層、
とを含み、該第１の層が、前記基材に結合している層状物品。
【請求項４】
基材を提供する工程と、該基材を請求項１に記載のフルオロポリマーブレンドと接触させて第１の層を供給する工程と、該第１の層を当該基材と結合させる工程と、を含む結合方法。
【手続補正２】
【補正対象書類名】明細書
【補正対象項目名】０００１
【補正方法】変更
【補正の内容】
【０００１】
フルオロポリマー類は、低表面エネルギー、高使用温度、及びほぼ万能の耐化学性などの特有の性質を有する。これらの性質は、多くの状況で有益であるが、その各々が、フルオロポリマー類（特に、完全フッ素化（過フッ素化）(perfluorinated)フルオロポリマー類）を、他の物質で作製された基材への結合を困難にする一端を担う。フルオロポリマー類を他の物質と結合させるための最も実績のある方法としては、フルオロポリマーを官能化された炭化水素ポリマー、例えばポリアミドイミド、ポリスルホン又はポリエーテルスルホン等とブレンドすることが挙げられ、この場合、該官能化された炭化水素ポリマーが基材の物質と結合し、該官能化された炭化水素ポリマー及び前記フルオロポリマーと相互侵入網目構造を形成させる。
【手続補正３】
【補正対象書類名】明細書
【補正対象項目名】００２２
【補正方法】変更
【補正の内容】
【００２２】
フルオロポリマーブレンドは、前述のフルオロポリマーブレンド及び溶媒を含むスラリーの形態であってよい。溶媒は、フッ素化溶媒であってもよく、過フッ素化されても、完全ハロゲン化（過ハロゲン化）(perhalogenated)されても、部分的にフッ素化されても、部分的にハロゲン化されても、非フッ素化又は非ハロゲン化されても、水を含んでいてもよい。溶媒は、フルオロポリマーを可溶化できるか又は分散体若しくは懸濁液をその中に形成する（スラリーが、界面活性剤を含有する場合）媒体を提供するかのいずれかであってよい。スラリーは、更に界面活性剤を含んでよい。所望により、界面活性剤は、フッ素化界面活性剤（過フッ素化された又は部分的にフッ素化されたものであることができる）であってもよい。界面活性剤は更に、非フッ素化されていてもよい。界面活性剤は、イオン性（アニオン性若しくはカチオン性）、又は非イオン性であってもよい。フルオロポリマーブレンドは更に、分散体の形態であってもよい。
【手続補正書】
【提出日】平成21年9月2日(2009.9.2)
【手続補正１】
【補正対象書類名】明細書
【補正対象項目名】００２２
【補正方法】変更
【補正の内容】
【００２２】
必要に応じて、アロファネート化前、アロファネート化の間またはアロファネート化後に、安定化作用を有する添加剤Ａ５）を使用してもよい。これは、酸性添加剤、例えばルイス酸(電子不足化合物)、またはブレンシュテッド酸(プロトン酸)、または水と反応してそのような酸を放出する化合物などであってよい。これらは、例えば有機酸または無機酸あるいは中性化合物、例えば水と反応して相当する酸を形成する酸ハロゲン化物またはエステルである。この場合は特に、塩酸、リン酸、リン酸エステル、塩化ベンゾイル、二塩化イソフタロイル、ｐ−トルエンスルホン酸、蟻酸、酢酸、ジクロロ酢酸および２−クロロプロピオン酸を挙げることができる。上述の酸性添加剤は、アロファネート化触媒を奪活するために使用し得る。さらに、それらは、例えば、薄膜蒸留の過程あるいは調製後の熱曝露中に、または製品の貯蔵中に、本発明に従って調製されたアロファネートの安定性を改良する。酸性添加剤は、一般に、少なくとも酸性添加剤の酸性中心と触媒の酸性中心のモル比が少なくとも１：１になるように添加される。しかしながら、過剰な酸性添加剤を添加することは好ましい。酸性添加剤を使用する場合には、酸性添加剤は、好ましくは有機酸、例えばカルボン酸など、または酸ハロゲン化物、例えば塩化ベンゾイルまたは二塩化イソフタロイルなどである。
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
芳香族炭化水素ポリマーの主鎖と、前記主鎖に結合した側鎖と、側鎖に結合した酸性基とを含み、前記酸性基が、前記主鎖から原子７〜１２個分離れた、前記側鎖上の原子に結合している、プロトン伝導性炭化水素系ポリマー。
【請求項２】
半フッ素化した芳香族炭化水素の主鎖と、前記主鎖に結合した側鎖とを含み、前記側鎖が、各側鎖内に少なくとも１個の−ＣＦ２−基と、各側鎖に結合した酸性基とを含む、プロトン伝導性炭化水素系ポリマー。
【請求項３】
主鎖が−Ｃ（ＣＦ３）２−基を含む、請求項２に記載のプロトン伝導性ポリマー。
【請求項４】
芳香族炭化水素ポリマーの主鎖と、前記主鎖に結合した側鎖とを含み、前記側鎖が、各側鎖内に少なくとも１個の−ＣＨ２−ＣＦ２−基と、各側鎖に結合した酸性基とを含む、プロトン伝導性炭化水素系ポリマー。
【請求項５】
芳香族炭化水素ポリマーの主鎖と、前記主鎖に結合した側鎖とを含み、かつ前記主鎖と前記側鎖との両方に結合し、その６５重量％未満が前記側鎖に結合している酸性基を含む、プロトン伝導性炭化水素系ポリマー。
【請求項６】
芳香族炭化水素ポリマーの主鎖と、少なくとも１個のアリール環を含む、前記主鎖に結合した側鎖と、前記主鎖と前記側鎖のアリール基との両方に結合した酸性基とを含む、プロトン伝導性炭化水素系ポリマー。
【請求項７】
以下の一般構造式を有するスルホン化ジハロモノマーから得られる、請求項６に記載のプロトン伝導性ポリマー。
【化１】
2009510231.tif 000001
［式中、
Ｒ＝Ｈ、Ｌｉ、Ｎａ、Ｋ、Ｃｓであり、
Ｘ＝Ｆ、Ｃｌであり、
Ｙ＝結合、−Ｃ（＝Ｏ）−、−ＳＯ２−、−Ｃ（ＣＦ３）２−、−（ＣＨ２）ｎ−  ｎ＝
１〜１０であり、
Ｑ＝結合、アリール、アルキル、フルオロアルキル、縮合複素環などである。］
【請求項８】
脂肪族炭化水素ポリマーの主鎖と、少なくとも１個の不活性化アリール環を含む、前記主鎖に結合した側鎖と、前記側鎖の前記不活性化アリール環に結合した酸性基とを含む、プロトン伝導性炭化水素系ポリマー。
【請求項９】
置換反応を受ける官能基を有するポリマーと、芳香族ハロ化合物とを反応させることにより得られる、請求項８に記載のプロトン伝導性ポリマー。
【請求項１０】
芳香族ハロ化合物が、以下の一般構造式を有するスルホン化芳香族ハロ化合物である、請求項８に記載のプロトン伝導性ポリマー。
【化２】
2009510231.tif 000002
［式中、
Ｒ＝Ｈ、Ｌｉ、Ｎａ、Ｋ、Ｃｓであり、
Ｘ＝Ｆ、Ｃｌであり、
Ｙ＝結合、−Ｃ（＝Ｏ）−、−ＳＯ２−、−Ｃ（ＣＦ３）２−、−（ＣＨ２）ｎ−  ｎ＝１〜１０であり、
Ｑ＝結合、アリール、アルキル、フルオロアルキル、縮合複素環などである。］
【請求項１１】
脂肪族炭化水素ポリマーの主鎖と、各側鎖内の−ＣＦ２−基および各側鎖に結合した酸性基を含む、前記主鎖に結合した側鎖とを含む、プロトン伝導性炭化水素系ポリマー。
【請求項１２】
化学的に結合し、その特性を改善する無機添加剤をさらに含む、請求項１に記載のプロトン伝導性ポリマー。
【請求項１３】
化学的に結合した金属リン酸塩または金属ホスホン酸塩をさらに含む、請求項１に記載のプロトン伝導性ポリマー。
【請求項１４】
酸との錯塩を形成することが可能であり、しかも化学的に結合した金属リン酸塩または金属ホスホン酸塩を有するプロトン伝導性ポリマー。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
透明プラスチック材料約９０〜９９．９５ｗｔ．％および平均粒径が実質的に１〜１００μｍであり該透明プラスチック材料の光学密度と異なる光学密度を有する透明ポリマー粒子約０．０１〜１０ｗｔ．％を含有し、平均粒径８０〜２００ｎｍのポリマー透明粒子５００ｐｐｍ以下を含有するプラスチック組成物。
【請求項２】
該透明プラスチック材料がポリカーボネートである、請求項１に記載のプラスチック組成物。
【請求項３】
請求項１または請求項２のいずれかに記載のプラスチック組成物を含有するフィルム。
【請求項４】
少なくとも一つの同時押出層を有する、請求項３に記載のフィルム。
【請求項５】
平均粒径が実質的に１〜１００μｍであり該透明プラスチック材料の光学密度と異なる光学密度を有する該ポリマー透明粒子がコア−シェルモルホロジーを有するアクリレートベースの粒子である、請求項３または４に記載のフィルム。
【請求項６】
厚さ０．０３５〜１ｍｍの請求項３〜５のいずれか一項に記載のフィルム。
【請求項７】
請求項３に記載のフィルムを有するバックライトユニット。
【請求項８】
請求項３に記載のフィルムまたは請求項７に記載のバックライトユニットを有するＬＣＤフラットスクリーン。